(57)【要約】      （修正有）【課題】ユーザが他のユーザに対象物を送信することが可能となる情報処理システムを提供する。【解決手段】本発明は、ユーザが所持する情報処理装置と、他のユーザが所持する他の情報処理装置と、情報処理装置および他の情報処理装置とネットワークを介して接続されるサーバ装置とを備える情報処理システムであって、情報処理装置および他の情報処理装置は、ユーザによる、他のユーザへ対象物を送信する旨の音声の入力を受け付け、情報処理装置は、音声を解析して他の情報処理装置および対象物を特定し、サーバ装置に、他の情報処理装置に対象物を送信する旨の送信情報を送信する。他の情報処理装置は、音声の入力に基づき、サーバ装置に、ユーザの情報処理装置から送信される対象物を受け付け可能である旨の受付可能情報を送信する。サーバ装置は、少なくとも送信情報および受付可能情報を受信している場合に、他の情報処理装置に対して対象物を送信する。【選択図】図４
2020060944.tif 000002
【特許請求の範囲】
【請求項１】
ユーザが所持する情報処理装置と、他のユーザが所持する他の情報処理装置と、前記情報処理装置および前記他の情報処理装置とネットワークを介して接続されるサーバ装置とを備える情報処理システムであって、
前記情報処理装置および前記他の情報処理装置は、前記ユーザによる、前記他のユーザへ対象物を送信する旨の音声の入力を受け付け、
前記情報処理装置は、前記音声を解析して前記他の情報処理装置および前記対象物を特定し、前記サーバ装置に、前記他の情報処理装置に前記対象物を送信する旨の送信情報を送信し、
前記他の情報処理装置は、前記音声の入力に基づき、前記サーバ装置に、前記ユーザの情報処理装置から送信される前記対象物を受け付け可能である旨の受付可能情報を送信し、
前記サーバ装置は、少なくとも前記送信情報および前記受付可能情報を受信している場合に、前記他の情報処理装置に対して前記対象物を送信する情報処理システム。
【請求項２】
前記情報処理装置および前記他の情報処理装置の各々は、前記他のユーザの音声入力による、前記対象物を受け付ける旨の指示情報を受け付けて前記サーバ装置に送信し、
前記サーバ装置は、さらに、前記情報処理装置および前記他の情報処理装置の各々から前記指示情報を受信している場合に、前記他の情報処理装置に対して前記対象物を送信する請求項１に記載の情報処理システム。
【請求項３】
前記情報処理装置は、前記音声を解析して前記他のユーザおよび前記対象物を特定した際に、前記ユーザによる、当該特定された他のユーザおよび対象物の正誤の入力を受け付け、当該入力が正であった場合に、前記サーバ装置に、前記他のユーザに前記対象物を送信する旨の情報を送信することを特徴とする請求項１または２に記載の情報処理システム。
【請求項４】
前記対象物は仮想通貨、電子通貨、電子クーポンまたは電子アイテム、ならびに、前記仮想通貨、前記電子通貨、前記電子クーポンまたは前記電子アイテムの数量および／または内容であることを特徴とする請求項１から３のいずれか一項に記載の情報処理システム。
【請求項５】
前記情報処理装置および前記他の情報処理装置の各々は、当該情報処理装置および当該他の情報処理装置の位置情報を前記サーバ装置に送信し、
前記サーバ装置は、さらに、前記情報処理装置および前記他の情報処理装置の各々から前記位置情報を受信し、当該位置情報の関係が所定関係にある場合に、前記他の情報処理装置に対して前記対象物を送信する請求項１から４のいずれか一項に記載の情報処理システム。
【請求項６】
前記情報処理装置は、前記音声の解析により前記他のユーザが特定できない場合には、当該情報処理装置と近距離無線通信により接続されたユーザを前記他のユーザの候補として前記ユーザに提案することを特徴とする請求項１から５のいずれか一項に記載の情報処理システム。
【請求項７】
前記情報処理装置は、前記音声の解析により前記対象物が特定できない場合には、当該情報処理装置が送信可能な対象物を送信する対象物の候補として前記ユーザに提案することを特徴とする請求項１から６のいずれか一項に記載の情報処理システム。
【請求項８】
ネットワーク接続されたサーバ装置を介して他の情報処理装置と接続される情報処理装置に、
ユーザによる、他のユーザへ対象物を送信する旨の音声の入力を受け付けるステップと、
前記音声を解析して前記他のユーザが所持する前記他の情報処理装置、および、前記対象物を特定するステップと、
前記他のユーザによる前記対象物を受け付ける旨の音声の入力を受け付けるステップと、
前記ユーザによる他のユーザへ対象物を送信する旨の音声の入力、および、前記他のユーザによる前記対象物を受け付ける旨の音声の入力を、前記他の情報処理装置と同時に受け付けていたことを条件として、前記他の情報処理装置に対して前記対象物を送信するステップと
を実行させる情報処理方法。
【請求項９】
ネットワーク接続されたサーバ装置を介して他の情報処理装置と接続される情報処理装置に、
ユーザによる、他のユーザへ対象物を送信する旨の音声の入力を受け付ける受付機能と、
前記音声を解析して前記他のユーザが所持する前記他の情報処理装置、および、前記対象物を特定する解析機能と、
を実現させ、
前記受付機能は、さらに、前記他のユーザによる前記対象物を受け付ける旨の音声の入力を受け付け、
前記情報処理装置に、さらに、
前記ユーザによる他のユーザへ対象物を送信する旨の音声の入力、および、前記他のユーザによる前記対象物を受け付ける旨の音声の入力を、前記他の情報処理装置と同時に受け付けていたことを条件として、前記他の情報処理装置に対して前記対象物を送信する送信機能と
を実現させるコンピュータプログラム。
【請求項１０】
ネットワーク接続されたサーバ装置を介して他の情報処理装置と接続される情報処理装置であって、
ユーザによる、他のユーザへ対象物を送信する旨の音声の入力を受け付ける受付部と、
前記音声を解析して前記他のユーザが所持する前記他の情報処理装置、および、前記対象物を特定する解析部と
を備え、
前記受付部は、さらに、前記他のユーザによる前記対象物を受け付ける旨の音声の入力を受け付け、
前記情報処理装置は、さらに、前記ユーザによる他のユーザへ対象物を送信する旨の音声の入力、および、前記他のユーザによる前記対象物を受け付ける旨の音声の入力を、前記他の情報処理装置と同時に受け付けていたことを条件として、前記他の情報処理装置に対して前記対象物を送信する送信部を備える情報処理装置。
【発明の詳細な説明】
【技術分野】
【０００１】
本発明は、情報処理システム、情報処理方法、コンピュータプログラムおよび情報処理装置に関する。
【背景技術】
【０００２】
従来から、ユーザ同士での少額の金銭の受け渡し等は現金を用いて行われることが多い。
【０００３】
しかしながら、現代社会では現金を持ち歩く必要性が低くなっており、時に支払いに必要な額の現金を有していないことがある。
【０００４】
このような際に、近年では、現金の他に仮想通貨や電子マネーなどによりデジタル決済処理を行う技術がある（特許文献１等）
【先行技術文献】
【特許文献】
【０００５】
【特許文献１】特開２０１１−２３２８５４号公報
【発明の概要】
【発明が解決しようとする課題】
【０００６】
しかしながら、かかる技術では、受付側のユーザは、専用の決済端末を用意する必要がある。また、受付側のユーザが専用の決済端末を用意できない場合には、支払い側のユーザが自身のスマートフォンやタブレット等から、専用のアプリケーションを介して、送信先となる相手のユーザ（受付側のユーザ）を選択し、送信すべき対象物（上述した仮想通貨や電子マネーなど）およびその数量を選択し、また、安全性を高めるために暗証番号を入力するなどの複雑かつ煩雑な操作が必要であった。
【０００７】
かかる操作は、ユーザが本技術を用いることのモチベーションを下げ、また、誤った選択を招く原因となっていた。
【０００８】
そこで、本発明者らは、上述した課題を改善すべく鋭意検討を行った。その結果、以下に記載する手法により、安全性を損なうことなく容易で正確に、ユーザが他のユーザに対象物を送信することが可能となることに思い至った。
【０００９】
本発明の目的は、安全性を損なうことなく容易で正確に、ユーザが他のユーザに対象物を送信することが可能となる情報処理システム、情報処理方法、コンピュータプログラムおよび情報処理装置を提供することにある。
【課題を解決するための手段】
【００１０】
本発明の情報処理システムは、ユーザが所持する情報処理装置と、他のユーザが所持する他の情報処理装置と、情報処理装置および他の情報処理装置とネットワークを介して接続されるサーバ装置とを備える情報処理システムであって、情報処理装置および他の情報処理装置は、ユーザによる、他のユーザへ対象物を送信する旨の音声の入力を受け付け、情報処理装置は、音声を解析して他の情報処理装置および対象物を特定し、サーバ装置に、他の情報処理装置に対象物を送信する旨の送信情報を送信し、他の情報処理装置は、音声の入力に基づき、サーバ装置に、ユーザの情報処理装置から送信される対象物を受け付け可能である旨の受付可能情報を送信し、サーバ装置は、少なくとも送信情報および受付可能情報を受信している場合に、他の情報処理装置に対して対象物を送信することを特徴とする。
【００１１】
情報処理装置および他の情報処理装置の各々は、他のユーザの音声入力による、対象物を受け付ける旨の指示情報を受け付けてサーバ装置に送信し、
サーバ装置は、さらに、情報処理装置および他の情報処理装置の各々から指示情報を受信している場合に、他の情報処理装置に対して対象物を送信することができる。
【００１２】
情報処理装置は、音声を解析して他のユーザおよび対象物を特定した際に、ユーザによる、当該特定された他のユーザおよび対象物の正誤の入力を受け付け、当該入力が正であった場合に、サーバ装置に、他のユーザに対象物を送信する旨の情報を送信することができる。
【００１３】
対象物は仮想通貨、電子通貨、電子クーポンまたは電子アイテム、ならびに、仮想通貨、電子通貨、電子クーポンまたは電子アイテムの数量および／または内容とすることができる。
【００１４】
情報処理装置および他の情報処理装置の各々は、当該情報処理装置および当該他の情報処理装置の位置情報をサーバ装置に送信し、サーバ装置は、さらに、情報処理装置および他の情報処理装置の各々から位置情報を受信し、当該位置情報の関係が所定関係にある場合に、他の情報処理装置に対して対象物を送信することができる。
【００１５】
情報処理装置は、音声の解析により他のユーザが特定できない場合には、当該情報処理装置と近距離無線通信により接続されたユーザを他のユーザの候補としてユーザに提案することができる。
【００１６】
情報処理装置は、音声の解析により対象物が特定できない場合には、当該情報処理装置が送信可能な対象物を送信する対象物の候補としてユーザに提案することができる。
【００１７】
本発明の情報処理方法は、ネットワーク接続されたサーバ装置を介して他の情報処理装置と接続される情報処理装置に、ユーザによる、他のユーザへ対象物を送信する旨の音声の入力を受け付けるステップと、音声を解析して他のユーザが所持する他の情報処理装置、および、対象物を特定するステップと、他のユーザによる対象物を受け付ける旨の音声の入力を受け付けるステップと、ユーザによる他のユーザへ対象物を送信する旨の音声の入力、および、他のユーザによる対象物を受け付ける旨の音声の入力を、他の情報処理装置と同時に受け付けていたことを条件として、他の情報処理装置に対して対象物を送信するステップとを実行させることを特徴とする。
【００１８】
本発明のコンピュータプログラムは、ネットワーク接続されたサーバ装置を介して他の情報処理装置と接続される情報処理装置に、ユーザによる、他のユーザへ対象物を送信する旨の音声の入力を受け付ける受付機能と、音声を解析して他のユーザが所持する他の情報処理装置、および、対象物を特定する解析機能とを実現させ、受付機能は、さらに、他のユーザによる対象物を受け付ける旨の音声の入力を受け付け、情報処理装置に、さらに、ユーザによる他のユーザへ対象物を送信する旨の音声の入力、および、他のユーザによる対象物を受け付ける旨の音声の入力を、他の情報処理装置と同時に受け付けていたことを条件として、他の情報処理装置に対して対象物を送信する送信機能とを実現させることを特徴とする。
【００１９】
本発明の情報処理装置は、ネットワーク接続されたサーバ装置を介して他の情報処理装置と接続される情報処理装置であって、ユーザによる、他のユーザへ対象物を送信する旨の音声の入力を受け付ける受付部と、音声を解析して他のユーザが所持する他の情報処理装置、および、対象物を特定する解析部とを備え、受付部は、さらに、他のユーザによる対象物を受け付ける旨の音声の入力を受け付け、情報処理装置は、さらに、ユーザによる他のユーザへ対象物を送信する旨の音声の入力、および、他のユーザによる対象物を受け付ける旨の音声の入力を、他の情報処理装置と同時に受け付けていたことを条件として、他の情報処理装置に対して対象物を送信する送信部を備えることを特徴とする。
【発明の効果】
【００２０】
本発明によれば、安全性を損なうことなく容易で正確に、ユーザが他のユーザに対象物を送信することが可能となる。
【図面の簡単な説明】
【００２１】
【図１】本発明の情報処理システムのシステム構成の一例を示す構成図である。
【図２】本発明の情報処理システムの実施形態の一例を示す概念図である。
【図３】本発明の情報処理システムの実施形態の一例を示す概念図である。
【図４】本発明の情報処理システムにおける情報処理方法の一例を示すフロー図である。
【図５】本発明の情報処理装置における情報処理方法の一例を示すフロー図である。
【図７】本発明の処理方法を示すフロー図である。
【図６】本発明の情報処理装置の構成を示す構成図である。
【図７】本発明のコンピュータプログラムの機能に関する回路構成図である。
【発明を実施するための形態】
【００２２】
本発明の情報処理システム、処理方法およびコンピュータプログラムの実施形態について、図面を参照しながら説明する。
【００２３】
初めに、本発明の情報処理システムの実施形態について図１を参照しながら説明する。
【００２４】
本発明の情報処理システム１００は、図１に示されるように、ユーザＡが所持する情報処理装置１０と、他のユーザＢが所持する他の情報処理装置２０と、情報処理装置１０および他の情報処理装置２０とネットワークを介して接続されるサーバ装置３０とを備える。
【００２５】
上記情報処理装置１０は、例えば、携帯電話、スマートフォン、パーソナルコンピュータ、タブレットなどの電子端末とすることができる。
【００２６】
同様に、上記他の情報処理装置２０は、例えば、携帯電話、スマートフォン、パーソナルコンピュータ、タブレットなどの電子端末とすることができる。
【００２７】
情報処理装置１０および他の情報処理装置２０は、ユーザＡによる、他のユーザＢへ対象物を送信する旨の音声の入力を受け付ける。
【００２８】
上記対象物は、仮想媒体、ならびに、これらの数量および／または内容とすることができる。具体的には、仮想通貨、電子通貨、電子クーポンまたは電子アイテムならびに、これらの数量および／または内容とすることができる。
【００２９】
上記他のユーザＢへ対象物を送信する旨の音声は、一例として、他のユーザＢの名称、対象物の名称およびその数量ならびに送信の指示を含むものとする。具体的には、「Ｂさんに、２００円をあげる。」などの内容とするのが好ましい。なお、他のユーザＢの名称は、ユーザＡが予め登録したニックネームなどでもよい。
【００３０】
そして、図２に一例として示されるように、情報処理装置１０および他の情報処理装置２０のいずれもが、上記他のユーザＢへ対象物を送信する旨の音声の入力を受け付ける。
【００３１】
すなわち、情報処理装置１０および他の情報処理装置２０が同じ時間に同じ場所にあることが条件である。
【００３２】
なお、ここで言う同じ場所とは、ユーザＡによる音声の入力が可能な範囲とすることができる。具体的には、静かな家の中であれば同じ部屋内、騒がしいカフェなどであれば同じテーブルなどであれば、情報処理装置１０および他の情報処理装置２０のいずれもが、上記他のユーザＢへ対象物を送信する旨の音声の入力を受け付けることができる。
【００３３】
そして、情報処理装置１０は、上記他のユーザＢへ対象物を送信する旨の音声を解析して他の情報処理装置２０および対象物を特定し、サーバ装置３０に、他の情報処理装置２０に対象物を送信する旨の送信情報を送信する。かかる音声を解析する技術としては、公知または新規の技術を用いてよい。
【００３４】
他の情報処理装置２０は、音声の入力に基づき、サーバ装置３０に、ユーザＡの情報処理装置１０から送信される対象物を受け付け可能である旨の受付可能情報を送信する。
【００３５】
上記受付可能情報としては、単に音声の入力があったことを示す情報であってもよいし、上記音声を解析して上記ユーザＡおよび対象物を特定した内容を含む情報としてもよい。
【００３６】
そして、サーバ装置３０は、少なくとも送信情報および受付可能情報を受信している場合に、他の情報処理装置２０に対して対象物を送信する。
【００３７】
なお、上記音声の入力は同時である必要があるが、送信に関しては情報処理装置１０および他の情報処理装置２０の処理速度や通信速度に依存するため、上記送信情報および受付可能情報の受信は、予め定められた所定の時間内に行われていればよい。
【００３８】
以上の構成により、本発明の情報処理システム１００は、安全性を損なうことなく容易で正確に、ユーザＡが他のユーザＢに対象物を送信することが可能となる。
【００３９】
具体的には、ユーザＡは、対象物の送信を音声で指示するという容易な操作方法を採用しながらも、自身の情報処理装置１０のみならず、他の情報処理装置２０においても上記音声が受け付けられていることを条件として対象物が送信される。そのため、安全性を損なうことなく容易で正確に、ユーザＡが他のユーザＢに対象物を送信することが可能となる。
【００４０】
なお、情報処理装置１０への音声の入力は、ユーザＡの操作をトリガとして行われるのが好ましい。この操作は、情報処理装置１０への物理的な操作であってもよいし、ユーザＡの音声による操作であってもよい。
【００４１】
同様に、他の情報処理装置２０への音声の入力は、他のユーザＢの操作をトリガとして行われるのが好ましい。この操作は、他の情報処理装置２０への物理的な操作であってもよいし、他のユーザＢの音声による操作であってもよい。
【００４２】
また、情報処理装置１０および他の情報処理装置２０の各々は、他のユーザＢの音声入力による、対象物を受け付ける旨の指示情報を受け付けてサーバ装置３０に送信してもよい。
【００４３】
上記対象物を受け付ける旨の指示情報は、一例として、ユーザＡの名称、対象物の名称およびその数量ならびに受付の指示を含むものとする。具体的には、「Ａさんから、２００円をもらう。」などの内容とするのが好ましい。なお、ユーザＡの名称は、他のユーザＢが予め登録したニックネームなどでもよい。
【００４４】
なお、この指示情報を受け付ける前に、他の情報処理装置２０は、他のユーザＢに対し、対象物を受け付けるか否かを確認するための確認画面または確認音声を出力することもできる。その場合は、他のユーザＢは、単に「はい」または「いいえ」などのより簡易な指示を与えるだけでよい。
【００４５】
そして、図３に一例として示されるように、情報処理装置１０および他の情報処理装置２０のいずれもが、他のユーザＢの音声入力による、対象物を受け付ける旨の指示情報を受け付ける。
【００４６】
そして、このとき、サーバ装置３０は、さらに、情報処理装置１０および他の情報処理装置２０の各々から指示情報を受信している場合に、他の情報処理装置２０に対して対象物を送信することができる。
【００４７】
以上の構成によれば、本発明の情報処理システム１００は、安全性および正確性をより高めて、ユーザＡおよび他のユーザＢ間の対象物の送信を実行することができる。
【００４８】
また、情報処理装置１０は、音声を解析して他のユーザＢおよび対象物を特定した際に、ユーザＡによる、当該特定された他のユーザＢおよび対象物の正誤の入力を受け付け、当該入力が正であった場合に、サーバ装置３０に、他のユーザＢに対象物を送信する旨の情報を送信することができる。
【００４９】
以上の構成によれば、本発明の情報処理システム１００は、正確性をより高めて、ユーザＡおよび他のユーザＢ間の対象物の送信を実行することができる。
【００５０】
また、情報処理装置１０および他の情報処理装置２０の各々は、当該情報処理装置１０および当該他の情報処理装置２０の位置情報をサーバ装置３０に送信してもよい。
【００５１】
上記位置情報は、情報処理装置１０および他の情報処理装置２０が備えるＧＰＳ（Ｇｌｏｂａｌ  Ｐｏｓｉｔｉｏｎｉｎｇ  Ｓｙｓｔｅｍ）センサ等から取得することができる。
【００５２】
そして、このとき、サーバ装置３０は、さらに、情報処理装置１０および他の情報処理装置２０の各々から位置情報を受信し、当該位置情報の関係が所定関係にある場合に、他の情報処理装置２０に対して対象物を送信することができる。
【００５３】
上記所定関係とは、例えば、これら装置間の最大の離間距離が所定の値以下である場合などとすることができる。
【００５４】
以上の構成によれば、本発明の情報処理システム１００は、安全性および正確性をより高めて、ユーザＡおよび他のユーザＢ間の対象物の送信を実行することができる。
【００５５】
また、情報処理装置１０は、音声の解析により他のユーザＢが特定できない場合には、当該情報処理装置１０と近距離無線通信により接続された情報処理装置を所有するユーザを他のユーザＢの候補としてユーザＡに提案することができる。この近距離無線通信の技術としては、Ｂｌｕｅｔｏｏｔｈ（登録商標）技術を用いることができる。
【００５６】
以上の構成によれば、本発明の情報処理システム１００は、音声の解析により他のユーザが特定できない場合であっても容易にユーザＡおよび他のユーザＢ間の対象物の送信を実行することができる。
【００５７】
また、情報処理装置１０は、音声の解析により対象物が特定できない場合には、当該情報処理装置１０が送信可能な対象物を送信する対象物の候補としてユーザＡに提案することができる。
【００５８】
以上の構成によれば、本発明の情報処理システム１００は、音声の解析により対象物が特定できない場合であっても、より容易にユーザＡおよび他のユーザＢ間の対象物の送信を実行することができる。
【００５９】
続いて、本発明の情報処理システム１００における情報処理方法の実施形態について図面を参照しながら説明を行う。
【００６０】
本発明の情報処理方法は、ユーザＡが所持する情報処理装置１０と、他のユーザＢが所持する他の情報処理装置２０と、情報処理装置１０および他の情報処理装置２０とネットワークを介して接続されるサーバ装置３０とを備える情報処理システム１００において、図４に一例として示されるように、ステップＳ１１０〜Ｓ１５０を実行させることを特徴とする。
【００６１】
ステップＳ１１０は、情報処理装置１０が、ユーザＡによる、他のユーザＢへ対象物を送信する旨の音声の入力を受け付ける。
【００６２】
ステップＳ１２０は、他の情報処理装置２０が、ユーザＡによる、他のユーザＢへ対象物を送信する旨の音声の入力を受け付ける。このステップＳ１２０は、上記ステップＳ１１０と同時に行われる。
【００６３】
ステップＳ１３０は、情報処理装置１０が、音声を解析して他の情報処理装置２０および対象物を特定し、サーバ装置３０に、他の情報処理装置２０に対象物を送信する旨の送信情報を送信する。
【００６４】
ステップＳ１４０は、他の情報処理装置２０が、音声の入力に基づき、サーバ装置３０に、ユーザＡの情報処理装置１０から送信される対象物を受け付け可能である旨の受付可能情報を送信する。このステップＳ１４０は、上記ステップＳ１３０と所定の時間内に行われる。
【００６５】
ステップＳ１５０は、サーバ装置３０が、少なくとも送信情報および受付可能情報を受信している場合に、他の情報処理装置２０に対して対象物を送信する。
【００６６】
以上の構成により、本発明の情報処理システム１００における情報処理方法は、安全性を損なうことなく容易で正確に、ユーザＡが他のユーザＢに対象物を送信することが可能となる。
【００６７】
続いて、本発明の情報処理方法の実施形態について図面を参照しながら説明を行う。
【００６８】
本発明の情報処理方法は、図５に一例として示されるように、ネットワーク接続されたサーバ装置３０を介して他の情報処理装置２０と接続される情報処理装置１０に、ステップＳ２１０〜Ｓ２５０を実行させることを特徴とする。
【００６９】
ステップＳ２１０は、ユーザＡによる、他のユーザＢへ対象物を送信する旨の音声の入力を受け付ける。
【００７０】
ステップＳ２２０は、音声を解析して他のユーザＢが所持する他の情報処理装置２０、および、対象物を特定する。
【００７１】
ステップＳ２３０は、他のユーザＢによる対象物を受け付ける旨の音声の入力を受け付ける。
【００７２】
そして、ユーザＡによる他のユーザＢへ対象物を送信する旨の音声の入力、および、他のユーザＢによる対象物を受け付ける旨の音声の入力を、他の情報処理装置２０と同時に受け付けていたことを条件として（ステップＳ２４０）、他の情報処理装置２０に対して対象物を送信する（ステップＳ２５０）。
【００７３】
以上の構成により、本発明の情報処理方法は、安全性を損なうことなく容易で正確に、ユーザＡが他のユーザＢに対象物を送信することが可能となる。
【００７４】
続いて、本発明の情報処理装置１０の実施形態について図面を参照しながら説明を行う。
【００７５】
本発明の情報処理装置１０は、ネットワーク接続されたサーバ装置を介して他の情報処理装置２０と接続される情報処理装置１０であって、図６に一例として示されるように、受付部１１と、解析部１２と、送信部１３とを備えることを特徴とする。
【００７６】
受付部１１は、ユーザＡによる、他のユーザＢへ対象物を送信する旨の音声の入力を受け付ける。
【００７７】
解析部１２は、音声を解析して他のユーザＢが所持する他の情報処理装置２０、および、対象物を特定する。
【００７８】
受付部１１は、さらに、他のユーザＢによる対象物を受け付ける旨の音声の入力を受け付ける。
【００７９】
送信部１３は、ユーザＡによる他のユーザＢへ対象物を送信する旨の音声の入力、および、他のユーザＢによる対象物を受け付ける旨の音声の入力を、他の情報処理装置２０と同時に受け付けていたことを条件として、他の情報処理装置２０に対して対象物を送信する。
【００８０】
以上の構成により、本発明の情報処理装置１０は、安全性を損なうことなく容易で正確に、ユーザが他のユーザに対象物を送信することが可能となる。
【００８１】
最後に、本発明のコンピュータプログラムの実施形態について図面を参照しながら説明を行う。
【００８２】
本発明のコンピュータプログラムは、ネットワーク接続されたサーバ装置３０を介して他の情報処理装置２０と接続される情報処理装置１０に、受付機能と、解析機能と、送信機能とを実現させる。これら機能は、図７に示す各回路１１０〜１１３によって実現されるものとすることができる。各回路は上述した各部１１〜１３に対応するものであって、各部１１〜１３の詳細について上述したとおりである。
【００８３】
受付機能は、ユーザＡによる、他のユーザＢへ対象物を送信する旨の音声の入力を受け付ける。
【００８４】
解析機能は、音声を解析して他のユーザＢが所持する他の情報処理装置２０、および、対象物を特定する。
【００８５】
そして、受付機能は、さらに、他のユーザＢによる対象物を受け付ける旨の音声の入力を受け付ける。
【００８６】
さらに、送信機能は、ユーザＡによる他のユーザＢへ対象物を送信する旨の音声の入力、および、他のユーザＢによる対象物を受け付ける旨の音声の入力を、他の情報処理装置２０と同時に受け付けていたことを条件として、他の情報処理装置２０に対して対象物を送信する。
【００８７】
以上の構成により、本発明のコンピュータプログラムは、安全性を損なうことなく容易で正確に、ユーザが他のユーザに対象物を送信することが可能となる。
【００８８】
また、上述した実施形態に係るサーバ装置又は端末装置として機能させるために、コンピュータ又は携帯電話などの情報処理装置を好適に用いることができる。このような情報処理装置は、実施形態に係るサーバ装置又は端末装置の各機能を実現する処理内容を記述したプログラムを、情報処理装置の記憶部に格納し、情報処理装置のＣＰＵによって当該プログラムを読み出して実行させることによって実現可能である。 
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９０】
また、実施形態に記載した手法は、計算機（コンピュータ）に実行させることができるプログラムとして、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウェア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウェア手段を構築し、このソフトウェア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。記憶部は、例えば主記憶装置、補助記憶装置、又はキャッシュメモリとして機能してもよい。
【符号の説明】
【００９１】
１００    情報処理システム
１０    情報処置装置
２０    他の情報処理装置
３０    サーバ装置
１１    受付部
１２    解析部
１３    送信部
１１０    受付回路
１２０    解析回路
１３０    送信回路
【図１】
2020060944.tif 000003
【図２】
2020060944.tif 000004
【図３】
2020060944.tif 000005
【図４】
2020060944.tif 000006
【図５】
2020060944.tif 000007
【図６】
2020060944.tif 000008
【図７】
2020060944.tif 000009
【手続補正書】
【提出日】平成30年10月12日(2018.10.12)
【手続補正１】
【補正対象書類名】明細書
【補正対象項目名】００２１
【補正方法】変更
【補正の内容】
【００２１】
【図１】本発明の情報処理システムのシステム構成の一例を示す構成図である。
【図２】本発明の情報処理システムの実施形態の一例を示す概念図である。
【図３】本発明の情報処理システムの実施形態の一例を示す概念図である。
【図４】本発明の情報処理システムにおける情報処理方法の一例を示すフロー図である。
【図５】本発明の情報処理装置における情報処理方法の一例を示すフロー図である。
【図６】本発明の情報処理装置の構成を示す構成図である。
【図７】本発明のコンピュータプログラムの機能に関する回路構成図である。